(57)【要約】【課題】地下構造物の立ち上がり管の上面に設置される枠体および蓋体の表面を汚損することなく、地表面を枠体および蓋体の上面と同一面に仕上げる。【解決手段】施工用閉塞具２０の閉塞具本体２１には、排水桝に設けた立ち上がり管９に挿入する内挿部２２を設ける。内挿部２２の上部に立ち上がり管９の上面開口部１１を閉塞する閉塞部２４を設け、閉塞部２４の上面に取手３１を収納する取手収容部を設ける。内挿部２２を上面開口部１１に嵌合支持した状態で、立ち上がり管９の上面開口縁１０から蓋部２９の上面までの寸法は、枠体を上面開口部１１に嵌合支持した状態で立ち上がり管９の上面開口縁１０から蓋体および枠体の上面までの寸法に略等しい。施工の際は、立ち上がり管９の上面開口部１１に閉塞具本体２１を仮止め支持して地表面１８を仕上げる工程に次いで閉塞具本体２１を引き抜き、立ち上がり管９に蓋体を開閉自在に設けた枠体を取付ける。【選択図】        図１
2004316185.tif 000002
【特許請求の範囲】
【請求項１】
地下構造物の立ち上がり管の上面開口部に施工用閉塞具の閉塞具本体を仮止め支持し、
この立ち上がり管の上面開口部を前記閉塞具本体で閉塞した状態で前記立ち上がり管を埋め戻して前記閉塞具本体の上面と同一面まで地表面を仕上げ、
地表面の仕上げ後に前記閉塞具本体を引き抜いて蓋体を開閉自在に設けた枠体を前記立ち上がり管の上面開口部に取り付ける
ことを特徴とする地表面に設置される蓋の施工方法。
【請求項２】
施工用閉塞具は、立ち上がり管の内周部に嵌合される外径を有する略円筒形の内挿部と、この内挿部の上部に設けられかつ前記立ち上がり管の外径に略等しい外径を有するとともにこの立ち上がり管の上面開口縁に係止されこの立ち上がり管の上面開口部を閉塞する閉塞部とを形成した閉塞具本体を備え、
前記閉塞具本体の内挿部を前記地下構造物の立ち上がり管の上面開口部に嵌合支持した状態で前記上面開口縁から前記閉塞部の上面までの寸法を、前記枠体を前記立ち上がり管の上面開口部に嵌合支持した状態で前記上面開口縁から前記蓋体および前記枠体の上面までの寸法と略等しい寸法に形成し、
地下構造物の立ち上がり管の上面開口部に前記閉塞具本体の内挿部を嵌挿して前記閉塞具本体を前記立ち上がり管の上部に仮止め支持し、この上面開口部を前記閉塞具本体の閉塞部によって閉塞する第１の工程と、
前記立ち上がり管を埋め戻して前記立ち上がり管の周辺の地表面を前記閉塞具本体の上面と同一面に仕上げる第２の工程と、
前記閉塞具本体を引き抜く第３の工程と、
この地下構造物の立ち上がり管の上面開口部に前記蓋体を開閉自在に設けた前記枠体を前記立ち上がり管の上面開口部に取り付けてこの枠体と蓋体との上面を地表面と同一面にする第４の工程と
からなることを特徴とする地表面に設置される蓋の施工方法。
【請求項３】
地下構造物の立ち上がり管の上面開口部に、蓋体を設けた枠体を取り付け施工するときに用い、前記立ち上がり管の上部に仮止め支持して前記上面開口部を閉塞する地下構造物の施工用閉塞具であって、
この閉塞具は、
合成樹脂にて成型された閉塞具本体と取手とを備え、
この閉塞具本体は、
前記立ち上がり管の内周部に嵌合される外径を有する略円筒形の内挿部と、
この内挿部の上部に設けられかつ前記立ち上がり管の外径に略等しい外径を有するとともにこの立ち上がり管の上面開口縁に係止されこの立ち上がり管の上面開口部を閉塞する閉塞部を有し、
この閉塞具本体の上面に前記取手を取付け、
前記閉塞具本体の内挿部を、前記地下構造物の立ち上がり管の上面開口部に嵌合支持した状態で前記上面開口縁から前記閉塞部の上面までの寸法を、前記枠体を前記立ち上がり管の上面開口部に嵌合支持した状態で前記上面開口縁から前記蓋体および前記枠体の上面までの寸法と略等しい寸法に形成した
ことを特徴とする地下構造物の施工用閉塞具。
【請求項４】
地下構造物の立ち上がり管は、排水桝の掃除口に設けた立ち上がり管である
ことを特徴とする請求項３記載の地下構造物の施工用閉塞具。
【請求項５】
閉塞具本体の閉塞部の上面には、取手の厚みと略等しい深さの取手収容部を形成し、前記取手を前記取手収容部に伏倒状態で配設する
ことを特徴とする請求項３または４記載の地下構造物の施工用閉塞具。
【請求項６】
取手は、閉塞具本体を立ち上がり管の上面開口部から引き抜くときに約９０度回動して略垂直状態に保持する軸部を有する
ことを特徴とする請求項５記載の地下構造物の施工用閉塞具。
【請求項７】
取手を略垂直方向に立ち上げて把持する際に、この取手が閉塞部から離脱することを防止する抜け止め手段を有する
ことを特徴とする請求項６記載の地下構造物の施工用閉塞具。
【請求項８】
閉塞部の外周面は、上方に向かって拡径したテーパ面に形成した
ことを特徴とする請求項３ないし７いずれかに記載の地下構造物の施工用閉塞具。
【発明の詳細な説明】
【０００１】
【発明の属する技術分野】
本発明は、排水桝やマンホールなどの地下構造物の立ち上がり管に点検、清掃用の蓋を設置する際に、立ち上がり管の上面開口部を開閉自在に閉塞するために地表面に設置される蓋の施工方法、およびその施工方法に用いる地下構造物の施工用閉塞具に関する。
【０００２】
【従来の技術】
一般に、排水桝やマンホールなど、地下構造物の立ち上がり管の上面開口部には、点検、清掃などのために上部に蓋体が設置され、通常、地下構造物の立ち上がり管を埋設施工する際には、立ち上がり管の上面開口部に蓋体を開閉自在に設けた枠体を設置した後、枠体と蓋体との上面と周辺の地表面とをコンクリートなどの舗装材料によって略同一面に仕上げ舗装する。
【０００３】
しかし、このような施工を行うときには、舗装材料が枠体や蓋体の上面にはみ出し、この状態で枠体や蓋体に付着した舗装材料が固化すると蓋体を開閉することができなくなるおそれがあるため、施工にあたっては舗装材料が枠体や蓋体の上面にはみ出すことがないように十分な注意を払う必要がある。そして、舗装材料が枠体や蓋体の上面にはみ出してしまった場合には、このはみ出した舗装材料を剥離して除去する作業が必要となるため、枠体や蓋体の周辺の地表面を舗装する作業は非常に手間がかかる問題があった。
【０００４】
このような問題点を解決するため、従来は、枠体および蓋体の上面に粘着剤を塗布した保護フィルムを貼着してからこの枠体および蓋体の周辺の地表面をコンクリートなどによって舗装し、この舗装作業が終了した後に前記保護フィルムを枠体および蓋体から剥離される方法が採られている。
【０００５】
しかし、枠体および蓋体の上面に保護フィルムを貼着すると、作業中に作業者が枠体や蓋体を踏み付けた場合、保護フィルムに塗布された粘着テープの粘着物が枠体や蓋体に付着し易く、枠体や蓋体を汚損するという問題があった。
【０００６】
そこで、枠体および蓋体を立ち上がり管の上面開口部に設置した状態で、枠体および蓋体の上面を被覆する円板状の被覆部と、この被覆部の周縁から垂直下方に突設され前記枠体と前記蓋体との嵌合面の間隙に挿入可能なスカート部とを有する被覆カバーが知られている（たとえば、特許文献１参照。）。
【０００７】
この従来の被覆カバーは、被覆カバーのスカート部を前記枠体と前記蓋体の隙間に挿入して枠体と蓋体との上面を被覆部で被覆することができるので、内周面にて蓋体を支持する枠体周辺の地表面を舗装する際に舗装材料が枠体や蓋体の上面にはみ出して枠体や蓋体に付着することを防止できる。
【０００８】
【特許文献１】
実用新案登録第２５６９３１２号公報（第２頁、第３頁、図３、図４）
【０００９】
【発明が解決しようとする課題】
しかしながら、蓋体と枠体との嵌合面をテーパ状として、被覆カバーのスカート部を挿入する間隙が形成されないテーパ嵌合構造が多く、特に、下水用のマンホールや掃除口に使用される枠体および蓋体の場合には、このマンホールや掃除口に雨水が流入することを防ぐため、枠体および蓋体の嵌合面に水密性を保持するために、間隙が形成されていないことが多く、前記従来の被覆カバーのスカート部を枠体と蓋体の間隙に挿入することができないという問題を有する。
【００１０】
また、枠体と蓋体との嵌合面に間隙があり、前記従来の被覆カバーのスカート部をこの枠体と蓋体との嵌合面に挿入できたとしても、前記従来の被覆カバーを用いて枠体と蓋体との表面を被覆すると、被覆カバーの被覆部にある程度の厚みがあるため、枠体および蓋体の上面とこの枠体および蓋体の周辺の地表面とを同一面とするためには、この枠体の周縁部の地表面を前記被覆カバーの厚さ分だけ低く段差を設けた状態で舗装仕上げをしなければならないため、舗装作業の手間がかかる問題を有する。
【００１１】
本発明はこのような点に鑑みなされたもので、枠体および蓋体の周囲の地表面を枠体および蓋体の上面と同一面に容易に舗装することができる、地表面に設置される蓋の施工方法およびこの施工方法に用いる地下構造物の施工用閉塞具を提供することを目的とする。
【００１２】
【課題を解決するための手段】
請求項１記載の地表面に設置される蓋の施工方法は、地下構造物の立ち上がり管の上面開口部に施工用閉塞具の閉塞具本体を仮止め支持し、この立ち上がり管の上面開口部を前記閉塞具本体で閉塞した状態で前記立ち上がり管を埋め戻して前記閉塞具本体の上面と同一面まで地表面を仕上げ、地表面の仕上げ後に前記閉塞具本体を引き抜いて蓋体を開閉自在に設けた枠体を前記立ち上がり管の上面開口部に取り付けるものである。
【００１３】
そして、地下構造物の立ち上がり管を埋め戻して地表面を舗装などで仕上げるとき、地下構造物の立ち上がり管の上面開口部には施工用閉塞具の閉塞具本体を仮止め支持することにより、この立ち上がり管の上面を閉塞でき、この立ち上がり管内に土砂などが侵入することを防止できる。
【００１４】
また、立ち上がり管を埋め戻して地表面を仕上げた後、閉塞具本体を立ち上がり管の上面開口部から引き抜くことにより、施工用閉塞具を反復して使用することができ、廃棄物の発生量を減少させて環境汚染を防止することができるとともに、枠体と蓋体との上面に接着剤などが残留することなく、蓋体と枠体との体裁が損なわれることがない。
【００１５】
請求項２記載の地表面に設置される蓋の施工方法は、施工用閉塞具は、立ち上がり管の内周部に嵌合される外径を有する略円筒形の内挿部と、この内挿部の上部に設けられかつ前記立ち上がり管の外径に略等しい外径を有するとともにこの立ち上がり管の上面開口縁に係止されこの立ち上がり管の上面開口部を閉塞する閉塞部とを形成した閉塞具本体を備え、前記閉塞具本体の内挿部を前記地下構造物の立ち上がり管の上面開口部に嵌合支持した状態で前記上面開口縁から前記閉塞部の上面までの寸法を、前記枠体を前記立ち上がり管の上面開口部に嵌合支持した状態で前記上面開口縁から前記蓋体および前記枠体の上面までの寸法と略等しい寸法に形成し、地下構造物の立ち上がり管の上面開口部に前記閉塞具本体の内挿部を嵌挿して前記閉塞具本体を前記立ち上がり管の上部に仮止め支持し、この上面開口部を前記閉塞具本体の閉塞部によって閉塞する第１の工程と、前記立ち上がり管を埋め戻して前記立ち上がり管の周辺の地表面を前記閉塞具本体の上面と同一面に仕上げる第２の工程と、前記閉塞具本体を引き抜く第３の工程と、この地下構造物の立ち上がり管の上面開口部に前記蓋体を開閉自在に設けた前記枠体を前記立ち上がり管の上面開口部に取り付けてこの枠体と蓋体との上面を地表面と同一面にする第４の工程とからなるものである。
【００１６】
そして、閉塞具本体は立ち上がり管の上面開口縁から閉塞具本体の閉塞部の上面までの寸法が、枠体を立ち上がり管の上面開口部に嵌合支持した状態で上面開口縁から蓋体および枠体の上面までの寸法と略等しいので、閉塞具本体の内挿部を地下構造物の立ち上がり管の上面開口部に嵌合支持することによって、枠体および蓋体の周囲の地表面を、枠体および蓋体の上面と同一面に容易に舗装など仕上げ施工できる。
【００１７】
また、地下構造物の立ち上がり管の上面開口部に内周面にて蓋体を支持する枠体を施工するときには、立ち上がり管の上部には閉塞具本体を仮止め支持することにより、枠体とこの枠体に開閉自在に設けられた蓋体との嵌合面との間における間隙の有無にかかわらず、地下構造物の立ち上がり管を施工して地表面を仕上げる工程において枠体および蓋体を舗装材などの仕上げ材で汚すことがない。
【００１８】
請求項３記載の地下構造物の施工用閉塞具は、地下構造物の立ち上がり管の上面開口部に、蓋体を設けた枠体を取り付け施工するときに用い、前記立ち上がり管の上部に仮止め支持して前記上面開口部を閉塞する地下構造物の施工用閉塞具であって、この閉塞具は、合成樹脂にて成型された閉塞具本体と取手とを備え、この閉塞具本体は、前記立ち上がり管の内周部に嵌合される外径を有する略円筒形の内挿部と、この内挿部の上部に設けられかつ前記立ち上がり管の外径に略等しい外径を有するとともにこの立ち上がり管の上面開口縁に係止されこの立ち上がり管の上面開口部を閉塞する閉塞部を有し、この閉塞具本体の上面に前記取手を取付け、前記閉塞具本体の内挿部を、前記地下構造物の立ち上がり管の上面開口部に嵌合支持した状態で前記上面開口縁から前記閉塞部の上面までの寸法を、前記枠体を前記立ち上がり管の上面開口部に嵌合支持した状態で前記上面開口縁から前記蓋体および前記枠体の上面までの寸法と略等しい寸法に形成したものである。
【００１９】
そして、閉塞具本体の内挿部を地下構造物の立ち上がり管の上面開口部に嵌合支持した状態で立ち上がり管の上面開口縁から閉塞具本体の閉塞部の上面までの寸法が、枠体を立ち上がり管の上面開口部に嵌合支持した状態で上面開口縁から蓋体および枠体の上面までの寸法に略等しいので、蓋体を開閉自在に設ける枠体を設置する際、枠体および蓋体の周囲の地表面を、容易に枠体および蓋体の上面と同一面に仕上げることができる。
【００２０】
また、地下構造物の立ち上がり管の上面開口部に内周面にて蓋体を支持する略円筒形の枠体を施工するときには、立ち上がり管の上部には閉塞具本体を仮止め支持することにより、この立ち上がり管の上面を容易に閉塞できるので、地下構造物の立ち上がり管を埋設施工して地表面を舗装などに仕上げ施工する際にこの立ち上がり管内に土砂などが侵入することを防止でき、また、枠体および蓋体を汚すことがない。
【００２１】
さらに、閉塞具本体は一体に形成されているため、施工の際にシールなどの使用済みの廃棄物が発生することがない。
【００２２】
また、閉塞具本体は、地下構造物の立ち上がり管を埋設して地表面を仕上げる際に立ち上がり管の上面開口縁に仮止め支持され、地表面を舗装などの仕上げ施工した後は、施工用閉塞具は立ち上がり管の上面開口部から引き抜いて反復して使用することができるので、廃棄物の発生量を減少させて環境汚染を防止することができる。
【００２３】
請求項４記載の地下構造物の施工用閉塞具は、請求項３記載の地下構造物の施工用閉塞具において、地下構造物の立ち上がり管は、排水桝の掃除口に設けた立ち上がり管であるものである。
【００２４】
そして、排水桝の掃除口の立ち上がり管を埋設する際に施工用閉塞具を用いることにより、排水桝の立ち上がり管の周囲の地表面を、立ち上がり管の上面開口部に取付けて蓋体を開閉自在に設ける枠体の上面と同一面に容易に仕上げることができる。
【００２５】
請求項５記載の地下構造物の施工用閉塞具は、請求項３または４記載の地下構造物の施工用閉塞具において、閉塞具本体の閉塞部の上面には、取手の厚みと略等しい深さの取手収容部を形成し、前記取手を前記取手収容部に伏倒状態で配設するものである。
【００２６】
そして、取手は伏倒状態において閉塞部の上面と略等しい高さ位置にて取手収容部に配設されているため、作業者が作業中に閉塞部の上面に足を載せても、作業者が足下に不安定感を感じたり、また、取手が破損したりすることはない。
【００２７】
請求項６記載の地下構造物の施工用閉塞具は、請求項５記載の地下構造物の施工用閉塞具において、取手は、閉塞具本体を立ち上がり管の上面開口部から引き抜くときに約９０度回動して略垂直状態に保持する軸部を有するものである。
【００２８】
そして、取手は、閉塞具本体を地下構造物の立ち上がり管の上面開口部から引き抜く際に約９０度回動させて略垂直状態に保持して、把持することにより、閉塞具本体を容易に引き抜くことができる。
【００２９】
請求項７記載の地下構造物の施工用閉塞具は、請求項６記載の地下構造物の施工用閉塞具において、取手を略垂直方向に立ち上げて把持する際に、この取手が閉塞部から離脱することを防止する抜け止め手段を有するものである。
【００３０】
そして、取手に上方向の引き抜き荷重が加わっても、抜け止め手段によって取手が閉塞具本体の閉塞部から離脱することが防止されるため、閉塞具本体を地下構造物の立ち上がり管の上面開口部から引き抜く際に取手が閉塞具本体の閉塞部から簡単に離脱することが防止される。
【００３１】
請求項８記載の地下構造物の施工用閉塞具は、請求項３ないし７いずれかに記載の地下構造物の施工用閉塞具において、閉塞部の外周面は、上方に向かって拡径したテーパ面に形成したものである。
【００３２】
そして、閉塞具本体を立ち上がり管の上部に仮止め支持して閉塞具本体周辺の地表面を仕上げた後にこの閉塞具本体を立ち上がり管から引き抜く場合、この閉塞具本体の閉塞部の外周面は上方に向かって拡径したテーパ面に形成されているため、閉塞具本体に上方向の引き抜き荷重がかかったときに閉塞部の外周面とこの閉塞部の外周面に接触する舗装材料などとの間に生ずる摩擦抵抗は小さくなり、作業者は少ない力で閉塞具本体を立ち上がり管から引き抜くことができる。
【００３３】
【発明の実施の形態】
以下、本発明の地下構造物の施工用閉塞具の一実施の形態について、図面を参照して説明する。
【００３４】
図９において、地下構造物としての排水桝１は、合成樹脂などによって成形され、内底部に形成されたインバート部２の両端部には、このインバート部２を介して連通した流入口３と流出口４が開口され、この流入口３は家庭などの排水設備に連通した上流側排水管５に接続され、また、前記流出口４は下流側排水管６に接続されている。
【００３５】
また、この排水桝１には、前記インバート部２の上方に位置して略円筒形の掃除口７が突設され、この掃除口７の上面に開口した開口部８には略円筒形の立ち上がり管９の下端側が嵌挿され、この立ち上がり管９の上端部は、上方に向かって開口されている。
【００３６】
そして、前記立ち上がり管９の上端部に開口した上面開口部１１には、枠体１２が設置される。この枠体１２は、前記立ち上がり管９の内径と略同一の外径を有する略円筒形の嵌挿部１３と、この嵌挿部１３の上部に一体にこの嵌挿部１３よりも拡径形成した略円筒形の枠体本体部１５とを有し、この枠体本体部１５の拡径によって前記立ち上がり管９の上面開口縁１０に係止される環状の係止段部１４が形成され、さらに、前記枠体本体部１５の内周部には環状の支持部１６が突設され、この支持部１６に嵌合された略円板状の蓋体１７が開閉自在に支持されている。
【００３７】
また、前記枠体１２の上面と、この枠体１２に支持された前記蓋体１７の上面とは、舗装など仕上げられた地表面１８と同一面となる。
【００３８】
そして、図１に示すように、前記立ち上がり管９の上面開口部１１には、施工用閉塞具２０の閉塞具本体２１が仮止め支持されて、前記立ち上がり管９の上面開口部１１はこの閉塞具本体２１によって閉塞される。
【００３９】
この施工用閉塞具２０を図４ないし図８に基づいて説明する。
【００４０】
図４および図５に示すように、合成樹脂にて成型された閉塞具本体２１は、下部に略円筒形で外径が前記立ち上がり管９の内周部に挿入可能な寸法の内挿部２２を有し、この内挿部２２の外周下端部は、前記立ち上がり管９の内周部に圧接されるパッキング４０の嵌合凹部２３が環状に形成されている。
【００４１】
そして、前記内挿部２２の上部には、この内挿部２２よりも拡径しかつ上面を蓋部２９とした閉塞部２４が設けられている。この閉塞部２４の円環状の外周面２６は上方に向かって拡径したテーパ面２７に形成されている。
【００４２】
また、この閉塞部２４の下端部は、前記内挿部２２と前記閉塞部２４の径差によって係止段部２５が形成されている。この係止段部２５の上部より拡径したこの閉塞具本体２１を前記立ち上がり管９の上面開口部１１に嵌合してこの係止段部２５が上面開口縁１０にて支持されるようになっている。
【００４３】
そして、前記閉塞部２４の上面には、前記外周面２６側に肉盗み凹部２８が環状に形成されている。
【００４４】
また、前記閉塞部２４の蓋部２９は、前記閉塞具本体２１の前記内挿部２２を前記立ち上がり管９の上面開口部１１に嵌合支持した状態で、前記立ち上がり管９の前記上面開口縁１０から前記閉塞具本体２１の前記蓋部２９の上面までの寸法が、前記枠体１２を前記立ち上がり管９の前記上面開口部１１に嵌合支持した状態で前記上面開口縁１０から前記蓋体１７および前記枠体１２の上面までの寸法と略等しくなるように形成されている。
【００４５】
さらに、この蓋部２９の上面には、断面略凹溝状に形成された取手収容部３０が平面視略コの字状に形成されている。この取手収容部３０の溝の深さは、後述する取手３１を伏倒状態で配設した状態での後述する取手３１の厚み寸法と略等しい深さ寸法で、この取手３１が伏倒状態で収容配設されるようになっている。
【００４６】
また、この取手収容部３０の平面視略中央部の外縁側に沿って、半円状の取手把持用の凹部３２が凹曲面状に形成されている。さらに、この取手収容部３０の両端部の相対する内側面には、後述する取手３１の軸部３３を回動自在に軸止する軸止孔３４，３４が相対向して形成されるとともに、前記取手収容部３０の両端部の両外側部には、後述の取手３１の軸部３３，３３が前記軸止孔３４，３４から離脱する方向に移動することを防止する抜け止め凸部３５，３５がそれぞれ突設されている。この抜け止め凸部３５，３５は、前記軸止孔３４，３４よりも前記取手収容部３０の両端部側に偏位した位置にそれぞれ突設されている。
【００４７】
そして、図８に示すように、閉塞具本体２１の前記取手収容部３０には、取手３１が収納される。この取手３１は、図６および図７に示すように、合成樹脂などによって略コ字状に形成されており、この取手３１の両端部３６，３６は円孤状面に形成されている。そして、この取手３１の両端部３６，３６の内側には、軸部３３，３３がそれぞれ相対して突設され、この軸部３３，３３の両端側に位置して先端部は、それぞれ前記軸止孔３４，３４に挿入し易いように傾斜状に切り欠いた切り欠き面３７，３７が形成されている。
【００４８】
さらに、この取手３１には、外面側の両端部３６，３６に軸部３３，３３の抜け止め突部３９がそれぞれ形成され、この抜け止め突部３９に連続して前記軸止孔３４，３４に軸部３３，３３をそれぞれ挿入するときの逃げ凹部３９ａ，３９ａが形成されている。この逃げ凹部３９ａ，３９ａは、前記取手３１の前記両端部３６，３６の外面側で、前記軸部３３，３３の軸心を中心として前記両端部３６，３６を円周の一部とする仮想円の約４分の１にあたる中心角約９０度の円周上に位置して形成されている。そして、前記抜け止め突部３９と、前記蓋部２９の抜け止め凸部３５，３５とにて抜け止め手段３５Ａを形成する。
【００４９】
次に、この実施の形態の作用について説明する。
【００５０】
まず、図９に示すように、掘削部に設置した排水桝１の流入口３には上流側排水管５を接続し、流出口４には下流側排水管６をそれぞれ接続する。また、前記排水桝１の掃除口７には立ち上がり管９を嵌挿する。
【００５１】
そして、図１に示すように、立ち上がり管９の上面開口部１１には、蓋体１７を設けた枠体１２を設置する前に、施工用閉塞具２０の閉塞具本体２１の内挿部２２を嵌脱自在に嵌合して、この閉塞具本体２１の係合段部２５を立ち上がり管９の上面開口縁１０に係止して仮止め支持し、立ち上がり管９の上面開口部１１を閉塞具本体２１の閉塞部２４によって閉塞する（第１の工程）。
【００５２】
この状態で、立ち上がり管９の内部に土砂などが侵入することを防止でき、また、枠体１２および蓋体１７を汚すことがない。
【００５３】
次に、図１に示すように、閉塞具本体２１の蓋部２９の上面まで土で埋め戻して、地表面１８を、舗装材料による舗装などによって仕上げ舗装して、閉塞具本体２１の閉塞部２４の上面を形成する蓋部２９と同一面に形成する（第２の工程）。
【００５４】
そして、閉塞具本体２１の内挿部２２を立ち上がり管９の上面開口部１１に嵌合支持した状態で立ち上がり管９の上面開口縁１０から閉塞具本体２１の閉塞部２４の上面までの寸法が、枠体１２を立ち上がり管９の上面開口部１１に嵌合支持した状態で上面開口縁１０から蓋体１７および枠体１２の上面までの寸法と略等しいので、蓋体１７を開閉自在に設ける枠体１２を施工する際、枠体１２および蓋体１７の周囲の地表面１８を、枠体１２および蓋体１７の上面と同一面に容易に舗装仕上げをすることができる。
【００５５】
また、閉塞具本体２１の蓋部２９の取手収容部３０に収容した取手３１は伏倒状態において閉塞部２４の上面と略等しい高さ位置となっているため、作業者が作業中に閉塞部２４の上面に足を載せても、作業者が足下に不安定感を感じたり、また、取手３１が破損したりすることはない。
【００５６】
次に、図２に示すように、閉塞具本体２１の周辺部の舗装材料など仕上げ面が固化した後に、閉塞具本体２１を立ち上がり管９の上面開口部１１から引き抜く（第３の工程）。この閉塞具本体２１を引き抜くときは、閉塞具本体２１の蓋部２９に形成した把持用の凹部３２に指を挿入してこの蓋部２９の取手収容部３０に伏倒した状態で収納されている取手３１を約９０度回動させることにより、取手３１を略垂直状態に立ち上げ、この状態で取手３１を把持してこの取手３１に上方向の引き抜き荷重を加えることにより、閉塞具本体２１を立ち上がり管９の上面開口部１１から引き抜く。
【００５７】
さらに、取手３１の抜け止め突部３９には、前記蓋部２９の抜け止め凸部３５，３５が係合してこの取手３１の両端部３６，３６が互いに離反方向に拡開することが防止されるため、取手３１に上方向の引き抜き荷重が加わっても、取手３１の両端部３６，３６が両側方に拡開することはなく、したがって、閉塞具本体２１を立ち上がり管９の上面開口部１１から引き抜く際に取手３１の両軸部３３，３３が蓋部２９の両軸止孔３４，３４から簡単に抜け外れることがない。
【００５８】
そして、閉塞具本体２１の閉塞部２４の外周面２６の上方に向かって拡径したテーパ面２７は抜きテーパとなり、閉塞具本体２１に上方向の引き抜き荷重がかかったときに、閉塞部２４の外周面２６とこの閉塞部２４の外周面２６に接触する舗装材料との間に生ずる摩擦抵抗は小さくなり、閉塞具本体２１を容易に立ち上がり管９から引き抜くことができる。
【００５９】
次に、図３に示すように、立ち上がり管９の上面開口部１１には、蓋体１７を開閉自在に設けた枠体１２を取り付けて、この枠体１２と蓋体１７との上面を、舗装された地表面１８と同一面に設置する（第４の工程）。
【００６０】
そして、立ち上がり管９の上面開口部１１には、地表面１８を舗装などにて形成する工程が終わってから枠体１２と蓋体１７とを設置することにより、従来の被覆カバーのスカート部を枠体と蓋体の隙間に挿入して枠体と蓋体の上面を被覆部で被覆した状態で仕上げ舗装を行う構成（たとえば特許文献１）と比べて、枠体１２とこの枠体１２に開閉自在に設けられた蓋体１７との嵌合面との間における間隙の有無にかかわらず、枠体１２および蓋体１７を汚すことなく施工することができる。
【００６１】
また、閉塞具本体２１は、立ち上がり管９を埋設施工して仕上げ舗装などにて地表面１８を仕上げる際に立ち上がり管９の上面開口縁１０に仮止め支持するため、閉塞具本体２１を立ち上がり管９の上面開口部１１から引き抜くことにより、施工用閉塞具２０を反復して使用することができ、施工の際にシールなどの使用済みの廃棄物が発生することがない。したがって、廃棄物の発生量を減少させて環境汚染を防止することができる。
【００６２】
なお、本実施の形態において、閉塞具本体２１の蓋部２９の取手収容部３０に取手３１を収容する際には、この取手３１を斜めに傾斜した状態から取手３１の両端部３６，３６を離反方向に開きながらこの取手３１を前記蓋部２９の取手収容部３０に挿入する。このとき、前記蓋部２９の抜け止め凸部３５，３５に前記取手３１の逃げ凹部３９ａ，３９ａが位置されるため、前記抜け止め凸部３５，３５に引っ掛かることなく、前記取手３１を前記取手収容部３０に収容することができる。そして、取手３１の軸部３３，３３を前記取手収容部３０の軸止孔３４，３４の開孔位置に合わせた状態で取手３１の両端部３６，３６の離反状態を解除すると、前記取手３１の前記軸部３３，３３はそれぞれ前記取手収容部３０の軸止孔３４，３４に嵌挿されて係止される。この状態で取手３１は倒して伏倒状態にして取手収容部３０に収納する。
【００６３】
なお、本実施の形態においては、地下構造物の施工用閉塞具は、排水桝１の掃除口７に嵌挿された立ち上がり管９の上面開口部１１を閉塞するための閉塞具本体２１を備えた施工用閉塞具２０について説明したが、これに限定されるものではなく、この施工用閉塞具２０は、マンホールの点検孔に設けられた立ち上がり管など、各種立ち上がり管の上面開口部を閉塞するために用いることができる。
【００６４】
【発明の効果】
本発明の方法によれば、地下構造物の立ち上がり管を埋め戻して地表面を舗装するとき、地下構造物の立ち上がり管の上面開口部には施工用閉塞具の閉塞具本体を仮止め支持することにより、この立ち上がり管の上面を閉塞でき、この立ち上がり管内に土砂などが侵入することを防止できる。
【００６５】
また、立ち上がり管を埋め戻して地表面を仕上げた後、閉塞具本体を立ち上がり管の上面開口部から引き抜くことにより、施工用閉塞具を反復して使用することができ、廃棄物の発生量を減少させて環境汚染を防止することができるとともに、枠体と蓋体との上面が接着剤などによって汚損することがなく、蓋体と枠体との体裁が損なわれることがない。
【００６６】
また、閉塞具本体の内挿部を地下構造物の立ち上がり管の上面開口部に嵌合支持することによって、枠体および蓋体の周囲の地表面を、容易に枠体および蓋体の上面と同一面に形成して舗装することができる。
【００６７】
本発明の施工用閉塞具によれば、閉塞具本体の内挿部を地下構造物の立ち上がり管の上面開口部に嵌合支持することにより、立ち上がり管の上面開口縁から閉塞具本体の閉塞部の上面までの寸法が、枠体を立ち上がり管の上面開口部に嵌合支持した状態で上面開口縁から蓋体および枠体の上面までの寸法と略等しくなり、蓋体を開閉自在に設ける枠体を設置する際、枠体および蓋体の周囲の地表面を、容易に枠体および蓋体の上面と同一面に仕上げることができる。
【００６８】
また、地下構造物の立ち上がり管を埋め戻して地表面を舗装など仕上げ施工するとき、立ち上がり管の上部には閉塞具本体を仮止め支持することにより、この立ち上がり管の上面が閉塞されており、立ち上がり管内に土砂などが侵入することを防止でき、また、枠体および蓋体を汚すことがない。
【００６９】
さらに、閉塞具本体は一体に形成されているため、施工の際にシールなどの使用済みの廃棄物が発生することがない。
【００７０】
また、地表面を舗装など仕上げ施工した後は、施工用閉塞具は立ち上がり管の上面開口部から引き抜いて反復して使用することができるので、廃棄物の発生量を減少させて環境汚染を防止することができる。
【００７１】
さらに、排水桝の掃除口の立ち上がり管を埋設する際に施工用閉塞具を用いることにより、排水桝の立ち上がり管の周囲の地表面を、立ち上がり管の上面開口部に取付けて蓋体を開閉自在に設ける枠体の上面と同一面に容易に仕上げることができる。
【００７２】
さらに、取手は伏倒状態において閉塞部の上面と略等しい高さ位置にて取手収容部に配設することにより、作業者が作業中に閉塞部の上面に足を載せても、作業者が足下に不安定感を感じたり、また、取手が破損したりすることはない。
【００７３】
また、取手を約９０度回動させて略垂直状態に保持して把持することにより、閉塞具本体を容易に立ち上がり管から引き抜くことができる。
【００７４】
さらに、取手に上方向の引き抜き荷重が加わっても、抜け止め手段によって取手が閉塞具本体の閉塞部から離脱することを防止でき、閉塞具本体を地下構造物の立ち上がり管の上面開口部から確実に引き抜くことができる。
【００７５】
さらに、この閉塞具本体の閉塞部の外周面に形成されたテーパ面により、閉塞具本体に上方向の引き抜き荷重がかかったときに閉塞部の外周面とこの閉塞部の外周面に接触する舗装材料などとの間に生ずる摩擦抵抗は小さくなり、作業者は少ない力で閉塞具本体を立ち上がり管から引き抜くことができる。
【図面の簡単な説明】
【図１】本発明の地表面に設置される蓋の施工方法を示す地下構造物の立ち上がり管の上面開口部を閉塞具にて閉塞した状態の縦断側面図である。
【図２】同上立ち上がり管から閉塞具本体を引き抜いた状態の縦断側面図である。
【図３】同上立ち上がり管に枠体を取り付けた状態を示す縦断側面図である。
【図４】本発明の一実施の形態を示す地下構造物の施工用閉塞具の閉塞具本体の平面図である。
【図５】同上閉塞具本体のＡ−Ａにおける縦断側面図である。
【図６】同上取手の平面図である。
【図７】同上取手の正面図である。
【図８】同上閉塞具本体に取手を取り付けた状態の平面図である。
【図９】同上掃除口に嵌挿した立ち上がり管の上面開口部に、枠体を取り付けた状態を示す縦断側面図である。
【符号の説明】
１    地下構造物としての排水桝
７    掃除口
９    立ち上がり管
１０    上面開口縁
１１    上面開口部
１２    枠体
１７    蓋体
１８    地表面
２０    施工用閉塞具
２１    閉塞具本体
２２    内挿部
２４    閉塞部
２６    外周面
２７    テーパ面
３０    取手収容部
３１    取手
３３    軸部
３５Ａ    抜け止め手段
【図１】
2004316185.tif 000003
【図２】
2004316185.tif 000004
【図３】
2004316185.tif 000005
【図４】
2004316185.tif 000006
【図５】
2004316185.tif 000007
【図６】
2004316185.tif 000008
【図７】
2004316185.tif 000009
【図８】
2004316185.tif 000010
【図９】
2004316185.tif 000011